(57)【要約】【課題】  扉側に設けたカウンタのアクチュエータを施錠機構を構成するガイドレール側の係合部材に直接当接させることにより、何ら複雑な構造を要することなく、当該係合部材を施錠機構とカウンタ機構の共通の部材として利用できるオーバーヘッドドアの開閉計数装置を提供する。【解決手段】複数のパネル３ａを連接してなる扉３の両端を、開口部の両側間に離間配設したガイドレール２、２に昇降自在に案内し、かつ開口部の閉鎖時に、当該扉３の両側に設けた一対の係止部材１０、１０を、ガイドレール２側の係合部材９、９にそれぞれ係止させて施錠機構８を構成すると共に、一方の係止部材１０の下方近傍位置に、回動自在なアクチュエータ１７ａをガイドレール２側に臨ませたカウンタ１７を配設し、扉３の昇降作動に連繋して当接するアクチュエータ１７ａの回動で、扉３の開閉回数を計数するようにした。【選択図】  図３
2005107927.tif 000002
【特許請求の範囲】
【請求項１】
複数のパネルを連接してなる扉の両端を、開口部の両側間に離間配設したガイドレールに昇降自在に案内し、かつ開口部の閉鎖時に、当該扉の両側に設けた一対の係止部材を、ガイドレール側の係合部材にそれぞれ係止させて施錠機構を構成すると共に、上記一対の係止部材のうち一方の係止部材の下方近傍位置に、回動自在なアクチュエータをガイドレール側に臨ませたカウンタを配設し、扉の昇降作動に連繋して前記係合部材に当接するアクチュエータの回動で、扉の開閉回数を計数するようにしたことを特徴とするオーバーヘッドドアの開閉計数装置。
【請求項２】
上記係合部材は、なだらかな傾斜をなす係合部と、これに続く係合縁と直線縁部および斜縁部を一体形成して構成されていることを特徴とする請求項１記載のオーバーヘッドドアの開閉計数装置。
【発明の詳細な説明】
【技術分野】
【０００１】
本発明は、オーバーヘッドドアにおける扉の開閉回数を計数する開閉計数装置に関するものである。
【背景技術】
【０００２】
扉を構成する複数のパネルを、ガイドレールに沿って垂直姿勢位置から上昇させて水平姿勢に順次に変姿することにより開口部を開放し、かつ水平姿勢にある各パネルを垂直姿勢位置に変姿させて開口部を閉鎖するように構成したオーバーヘッドドアは、巻取式シャッター装置に比して構成が簡易で使い勝手が良いため、住宅のガレージ用あるいは扉の開閉頻度の高い配送センター、工場、運搬車両等の業務用施設に設備されることが多いが、製品としての機能および安全性を確保する上で、その開閉回数を目安として点検保守を行うことが重要となっている。
【０００３】
そこで、カウンタ機構を扉に装備して実際の扉の開閉回数を計数する構成を採用したオーバーヘッドドアも提案されてはいるが、この従来の構成では、施錠機構との構造上の取り合いを改善しつつ別個に設けたカウンタ機構で開閉回数の計数を的確に行えるものの、カウンタ機構の構成自体を簡素化するには未だ至っておらず、施錠機構とカウンタ機構をそれぞれ別個に付設する必要から、カウンタ機能を保持しつつ製造コストの低減を図るには改善の余地を残すものであった。
【特許文献１】実公平５−１２８４９
【発明の開示】
【発明が解決しようとする課題】
【０００４】
本発明は、上記の如き実状に鑑みオーバーヘッドドアの製品としての機能および安全性を確保する上で必須な開閉回数のカウント機能を保持しながら、製造コストの低減を追究する研究、開発の過程において、「施錠機構の構成部材の一部をそのまま利用してカウンタ機構を構成する」という全く新規な視点に基づいて創案されたものであって、その目的とするところは、扉側に設けたカウンタのアクチュエータを施錠機構を構成するガイドレール側の係合部材に直接当接させることにより、何ら複雑な構造を要することなく、当該係合部材を施錠機構とカウンタ機構の共通の部材として利用でき、もって製造コストの低減を図りつつ需要者に対するオーバーヘッドドアの機能保全を達成することができるオーバーヘッドドアの開閉計数装置を提供することを目的とするものである。
【課題を解決するための手段】
【０００５】
上記課題を解決するため、本発明が採用した技術的手段は、複数のパネルを連接してなる扉の両端を、開口部の両側間に離間配設したガイドレールに昇降自在に案内し、かつ開口部の閉鎖時に、当該扉の両側に設けた一対の係止部材を、ガイドレール側の係合部材にそれぞれ係止させて施錠機構を構成すると共に、上記一対の係止部材のうち一方の係止部材の下方近傍位置に、回動自在なアクチュエータをガイドレール側に臨ませたカウンタを配設し、扉の昇降作動に連繋して前記係合部材に当接するアクチュエータの回動で、扉の開閉回数を計数するようにしたことを特徴とするものである。
【発明の効果】
【０００６】
したがって、本発明によれば、施錠機構の係合部材をそのままカウンタ機構の構成部材に兼用することができ、新たな構成部材を不要にして製造コストの低減を図ることができると共に、施錠機構の設置スペースとカウンタ本体の設置スペースさえあれば、多種多様なオーバーヘッドドアの構造にも柔軟に対応し得て設計の自由度も向上させることができ、カウンタ機構の簡素化と相俟って製造、組立を容易に行えるようにすることができる。
【発明を実施するための最良の形態】
【０００７】
施錠機構を構成する係止部材の下方近傍位置に、回動自在なアクチュエータをガイドレール側に臨ませたカウンタを配設し、扉の昇降作動に連繋して係合部材に当接するアクチュエータの回動で、扉の開閉回数を計数するようにした。
【実施例１】
【０００８】
以下、本発明にかかる発明の一実施例を図面に基づいて詳細に説明する。
図１〜図４において、１は建物開口部に設置された手動式のオーバーヘッドドアであり、該オーバーヘッドドア１は、左右に立設したガイドレール２、２に扉３を昇降自在に案内し、上記ガイドレール２、２に沿って扉３を垂直姿勢位置から上昇させて水平姿勢に順次に変姿することにより開口部を開放し、かつ水平姿勢にある扉３を垂直姿勢位置に変姿させて開口部を閉鎖するように構成されている。
【０００９】
上記扉３は、複数のパネル３ａ、３ａ…を上下方向に蝶番４、４…を介して連接し、当該各パネル３ａ、３ａ…の左右両端に軸支した図示しない転動ローラをガイドレール２、２に内嵌して形成されると共に、上記ガイドレール２、２の上方位置には、コイル弾機５が、回転軸６を介して回転自在に配設されており、該回転軸６の両端部に軸支したドラム７、７に一端をそれぞれ固定した巻き取りワイヤ（図示せず）の他端を、最下に位置するパネル３ａの左右端にそれぞれ接続して、上記コイル弾機５の巻き上げ方向の付勢力により扉３を開放方向に付勢するように構成されている。
なお、上述の各蝶番４、４…では、図４（ｃ）に示すように、ヒンジ部４ａにグリースの注油口４ｂを開口して、オーバーヘッドドア１の開閉時における蝶番４、４…での騒音の低減と分解、組立を要さずして点検、保守時のグリースの注油を可能にしてメンテナンス性の向上を図るようにした蝶番構成を採用している。また、各パネル３ａ、３ａ…の左右両端に軸支した図示しない転動ローラは、その回動軸受けとして樹脂製スリーブが同軸状に内嵌されており、上記蝶番４、４…の構成と相俟って騒音低減に寄与する構成となっている。
【００１０】
また上記扉３には、これを形成するパネル３ａのうち、任意のパネル３ａ（本実施例では下から２枚目のパネル３ａ）に施錠機構８が配設されており、該施錠機構８は、ガイドレール２、２に設けた係合部材９、９とパネル３ａの左右両側に設けた一対の係止部材１０、１０および係止部材１０、１０の係合部材９、９に対する係合を解除する解除レバー１１で構成されている。
【００１１】
上記施錠機構８の各係止部材１０、１０は、取付ブラケット１２に係止片１０ａを一体形成した回動ブラケット１３を、コイルスプリング１４ａを軸装した支軸１４を介して回動自在に軸支し、かつ当該回動ブラケット１３に引張ワイヤ１５の一端を接続する一方、その他端を解除レバー１１に接続して、当該解除レバー１１の回動操作に連繋する引張ワイヤ１５の引き作用により左右の係止部材１０、１０に対して、コイルスプリング１４ａの付勢力に抗して各回動ブラケット１３、１３を同時に回動し、各係合部材９、９に対する係止部材１０、１０の係合を解除するようになっている。
【００１２】
また、係合部材９、９は、なだらかな傾斜をなす係合部９ａと、これに続く係合縁９ｂと直線縁部９ｃおよび斜縁部９ｄを一体形成してなり、取付ボルト１６、１６により各ガイドレール２の外側から取り付けるように構成されている。
【００１３】
ここで本発明では特に、図３、図５および図６に示すように、上記係止部材１０、１０のうち一方の係止部材１０の下方近傍位置にカウンタ１７を配設し、図視で上下回動自在なそのアクチュエータ１７ａをガイドレール２側に臨ませて、扉３が昇降作動する際に前記係合部材９の係合縁９ｂにアクチュエータ１７ａの先端側を当接させることにより、扉３の開閉回数を計数するようなっている。
【００１４】
すなわち、上記カウンタ１７は、カウンタ本体１７ｂの前面に６桁の「０」〜「９」の表示窓１８を設け、かつ該カウンタ本体１７ｂの前面から水平に突出する回動計数軸１７ｃの先端に針状のアクチュエータ１７ａを延出して構成され、その回動範囲Ａでは計数動作は行われず（不感範囲）、アクチュエータ１７ａが下動する回動範囲Ｂの間で計数動作がおこなわれるようになっており、本実施例に採用のカウンタ１７では、図６に示す回動範囲Ｂ内での回動作動が行われる場合、すなわち閉鎖した扉３の開放が行われる毎にカウント数を１つ増加させる計数動作を行うように構成されている。なお、Ｃ位置はアクチュエータ１７ａの最大回動位置を示すものである。
【００１５】
本発明は叙上の如く構成されているから、オーバーヘッドドア１を閉鎖する場合に、扉３を形成する各パネル３ａ、３ａ…がガイドレール２、２に案内されて下降すると、施錠機構８の係止部材１０、１０を設けたパネル３ａも、図７（ａ）に示すように下降する。この時、ガイドレール２、２側に設けた一方の係合部材９の係合部９ａに、まずカウンタ１７のアクチュエータ１７ａが、図７（ｂ）に示すように、係合部材９の係合部９ａに当接してその外形状に倣って上動するが、この回動作動ではカウンタ１７のカウントは計数されない。次いで、図７（ｃ）に示すように、係止部材１０の係止片１０ａも同様に係合部材９の係合部９ａに当接してその外形状に倣って上動し、該係合部９ａに続く係合縁９ｂに、図７（ｄ）に示すように、係止片１０ａが落ち込んだ時点で、係止部材１０と係合部材９との係合が完了し、扉３の施錠がなされることになる。
【００１６】
また、図８（ａ）に示すように、閉鎖状態にあるオーバーヘッドドア１を開放する場合には、まず解除レバー１１を回動操作して引張ワイヤ１５、１５を引張し、各係止部材１０、１０の係止片１０ａ、１０ａと各ガイドレール２、２の係合部材９、９との係合が解除されると同時に図８（ｂ）に示すように、前記巻き取りドラム５の巻き上げ方向の付勢力により扉３が上昇を開始する。その後、解除レバー１１を復帰させると、施錠解除された扉３の上昇に伴って、一方の係止部材１０に併設したカウンタ１７のアクチュエータ１７ａが、図８（ｃ）に示すように、係合部材９の係合縁９ｂに下方から当接して下動し、この回動作動でカウンタ１７はカウントを「１」だけ計数することになる。
然る後に、上記下動したアクチュエータ１７ａは、扉３の上昇により係合縁９ｂとの係合が外れて係合部９ａの裏面を倣いながら、図８（ｄ）に示すように、通常の回動姿勢位置に復帰する。
【産業上の利用可能性】
【００１７】
ガイドレール２、２の外側に設けた係合部材９、９と、これに係合する係止部材１０、１０とからなる施錠機構８および通常の開閉状態でカウンタ１７を外部から目視できる構成のシャッター装置であれば、オーバーヘッドドアの構成に限らず本発明を採用することが可能となる。
【図面の簡単な説明】
【００１８】
【図１】本発明の開閉計数装置を採用するオーバーヘッドドアを屋内側から見た要部正面図である。
【図２】施錠機構を設けたパネルの一部省略要部拡大図である。
【図３】（ａ）は要部拡大断面図である。（ｂ）は要部拡大正面図である。
【図４】（ａ）は係合部材の正面図である。（ｂ）は同右側面図である。（ｃ）は蝶番の拡大正面図である。
【図５】（ａ）はカウンタの全体平面図である。（ｂ）は同正面図図である。
【図６】カウンタの動作説明図図である。
【図７】（ａ）〜（ｄ）は扉閉鎖時の係合部材、係止部材およびカウンタの動作を示す作用説明図である。
【図８】（ａ）〜（ｄ）は扉開放時の係合部材、係止部材およびカウンタの動作を示す作用説明図である。
【符号の説明】
【００１９】
１      オーバーヘッドドア
２      ガイドレール
３      扉
３ａ    パネル
８      施錠機構
９      係合部材
１０    係止部材
１７    カウンタ
１７ａ  アクチュエータ
【図１】
2005107927.tif 000003
【図２】
2005107927.tif 000004
【図３】
2005107927.tif 000005
【図４】
2005107927.tif 000006
【図５】
2005107927.tif 000007
【図６】
2005107927.tif 000008
【図７】
2005107927.tif 000009
【図８】
2005107927.tif 000010